(57)【特許請求の範囲】
【請求項１】
被写体を撮像カメラで撮影し、撮影された前記被写体像の画像を出力するプレゼンテーション装置において、
第１の照明光を出射するバックライトと、
前記バックライトに対し前記第１の照明光の出射側に設けられ、前記被写体を載置する位置の基準となる基準領域のガイド線が記された光透過性のガイド表示板と、
前記ガイド表示板上に設けられ、所定角度を有したルーパーを複数備えており、前記ガイド表示板を出射した前記第１の照明光を前記所定角度で出光させる視野角制限手段と、
前記視野角制限手段上に設けられ、前記被写体を載置する光透過性の載置台と、
前記載置台に載置された前記被写体を照明する第２の照明光を出射するランプ部と、
前記載置台に載置された前記被写体を撮影する撮影カメラと、
前記撮影カメラで撮影された前記被写体像の画像信号を出力する画像出力部と、
前記撮影カメラで撮影された前記被写体像の動きを検出し、前記被写体の静止時間を計測する動き検出部と、
外光を受光し、外光照度信号として出力する外光受光部と、
前記動き検出部で計測された前記静止時間と前記外光受光部から出力された外光照度信号とに基づいて、前記第１の照明光及び前記第２の照明光の強度を制御する制御部と、
を備えていることを特徴とするプレゼンテーション装置。
【請求項２】
所定角度を有したルーパーが所定間隔を有して複数形成された視野角制限フィルムを有するプレゼンテーション装置を用いて、被写体を撮像カメラで撮影し、撮影された前記被写体の画像を出力してプレゼンテーションを行うプレゼンテーション方法において、
バックライトから出射し前記視野角制限フィルムを経た第１の照明光により前記所定の角度から見て目視可能なように基準領域が表示された載置台の上に前記被写体が載置された際に、前記被写体に第２の照明光を照射する被写体照明ステップと、
前記被写体照明ステップで照明された前記被写体を撮影し、撮影された前記被写体の動きを検出し、検出された前記被写体の動きから前記被写体が静止している時間を計測する静止時間測定ステップと、
前記静止時間測定ステップで測定された前記被写体の静止時間が所定時間以上である場合、外光の照度を測定する外光照度測定ステップと、
前記外光照度測定ステップでの外光の照度の測定結果が所定値以下の場合、前記第１の照明光を消灯し、前記被写体の画像を外部に出力する撮影像出力ステップと、  を有することを特徴とするプレゼンテーション方法。
【発明の詳細な説明】
【技術分野】
【０００１】
本発明は、書類や立体物などの資料を撮像し、プロジェクタ投影用画像信号として出力するプレゼンテーション装置及びプレゼンテーション方法に関する。
【背景技術】
【０００２】
従来から、会議や学会などで透明のＯＨＰシートにマーカーペンで記述し、拡大照射する投影装置がプレゼンテーション用装置として用いられている。高輝度のランプを用いて直接スクリーンに投影し、明るい投影画像が得られている。そして、投影画像の品位を保つため使用者は目的の画像をスクリーンの中央に配置させたり、投影画像の境界をスクリーン境界との位置合わせを、投影画像を見つつＯＨＰシート位置を調整しながら行っている。特に、投影装置とスクリーンとの位置関係が正規の位置関係からずれて斜めに配置されている場合ではＯＨＰシートを正規の位置に載置しても投影画像はスクリーンに対して位置ずれが生じる。その位置ずれを打ち消すようにＯＨＰシートの載置場所をずらし、補正している。
【０００３】
一方、最近になり、ビデオカメラで撮影された画像をスクリーンに投影する投射型テレビが実用化されるようになってきた。ビデオカメラは不透明の資料や立体物を撮影することが出来るため、プレゼンテーション用資料の作成が容易である。ビデオカメラを用いる場合では、カメラの画角に合わせて撮影された画像はスクリーンの画角に合わされた所定の位置の画像として表示される。しかし、スクリーン輝度に関しては、輝度レベルの高い投射型テレビは開発されているものの、ＯＨＰ投射によるほどは高く得られない。プレゼンテーションルームの照明を減光し、スクリーン投射画像を見やすくする工夫がなされている。
【０００４】
特許文献１には、書類や立体物をＣＣＤカメラで撮影し、撮影画像を装置外部のスクリーン等に再生する資料提示装置が開示されている。操作者に資料の載置位置を案内するガイド機能を有する資料台を実現している。ＣＣＤカメラのブランキング区間に資料載置台上にガイドパターンを投射するようにし、ガイドに合わせた資料の載置を容易にし、ＣＣＤカメラの撮影視野内の画角に合わせた画像を得ることができる資料提示装置が開示されている。
【特許文献１】特開２００２−９４８３６号公報
【発明の開示】
【発明が解決しようとする課題】
【０００５】
しかしながら、特許文献１に開示されている資料提示装置では、資料配置ガイド表示をビーム投影手段や反射ミラーを設け、その投影タイミングをビデオカメラの垂直同期期間と同期させて表示させる必要があり、構造が複雑になってしまう。簡易な構成で、配置精度の高い画像を提示でき、プレゼンテーション効果が得られ易いプレゼンテーション装置の実現が望まれている。
【０００６】
そこで、本発明は、上記のような問題点を解消するためになされたもので、カメラにより撮像され、投影される被写体をスクリーン上の所定の位置に配置させるためのガイド表示を使用者に行うと共に、ガイド表示はカメラにより撮影されなく、提示用資料のみが撮像されてスクリーンに投影されるようにした構造が簡易なプレゼンテーション装置及びプレゼンテーション方法を提供することを目的とする。
【課題を解決するための手段】
【０００７】
本願発明における第１の発明は、被写体を撮像カメラで撮影し、撮影された前記被写体像の画像を出力するプレゼンテーション装置において、第１の照明光を出射するバックライトと、前記バックライトに対し前記第１の照明光の出射側に設けられ、前記被写体を載置する位置の基準となる基準領域のガイド線が記された光透過性のガイド表示板と、前記ガイド表示板上に設けられ、所定角度を有したルーパーを複数備えており、前記ガイド表示板を出射した前記第１の照明光を前記所定角度で出光させる視野角制限手段と、前記視野角制限手段上に設けられ、前記被写体を載置する光透過性の載置台と、前記載置台に載置された前記被写体を照明する第２の照明光を出射するランプ部と、前記載置台に載置された前記被写体を撮影する撮影カメラと、前記撮影カメラで撮影された前記被写体像の画像信号を出力する画像出力部と、前記撮影カメラで撮影された前記被写体像の動きを検出し、前記被写体の静止時間を計測する動き検出部と、外光を受光し、外光照度信号として出力する外光受光部と、前記動き検出部で計測された前記静止時間と前記外光受光部から出力された外光照度信号とに基づいて、前記第１の照明光及び前記第２の照明光の強度を制御する制御部と、を備えていることを特徴とするプレゼンテーション装置を提供する。
本願発明における第２の発明は、所定角度を有したルーパーが所定間隔を有して複数形成された視野角制限フィルムを有するプレゼンテーション装置を用いて、被写体を撮像カメラで撮影し、撮影された前記被写体の画像を出力してプレゼンテーションを行うプレゼンテーション方法において、バックライトから出射し前記視野角制限フィルムを経た第１の照明光により前記所定の角度から見て目視可能なように基準領域が表示された載置台の上に前記被写体が載置された際に、前記被写体に第２の照明光を照射する被写体照明ステップと、前記被写体照明ステップで照明された前記被写体を撮影し、撮影された前記被写体の動きを検出し、検出された前記被写体の動きから前記被写体が静止している時間を計測する静止時間測定ステップと、前記静止時間測定ステップで測定された前記被写体の静止時間が所定時間以上である場合、外光の照度を測定する外光照度測定ステップと、前記外光照度測定ステップでの外光の照度の測定結果が所定値以下の場合、前記第１の照明光を消灯し、前記被写体の画像を外部に出力する撮影像出力ステップと、を有することを特徴とするプレゼンテーション方法を提供する。
【発明の効果】
【０００８】
本発明によれば、カメラにより撮像され、投影される被写体をスクリーン上の所定の位置に配置させるためのガイド表示を使用者に行うと共に、ガイド表示はカメラにより撮影されなく、提示用資料のみがスクリーンに投影されるようにした簡易な構成のプレゼンテーション装置及びプレゼンテーション方法を実現できる。
【発明を実施するための最良の形態】
【０００９】
以下に本発明の各実施例に係るプレゼンテーション装置について図１〜図８を用いて説明する。
図１は、本発明の実施に係るプレゼンテーション装置の構成例を示すブロック図である。
図２は、本発明の実施に係るプレゼンテーション装置の外観を示す斜視図である。
図３は、本発明の実施に係るプレゼンテーション装置の要部の構成例を示す図である。
図４は、本発明の実施に係る視野角制限フィルタの断面を示す図である。
図５は、本発明の実施に係るプレゼンテーション装置の要部の構成例を示すブロック図である。
図６は、本発明の実施に係るプレゼンテーション装置の動作をフローチャートで示した図である。
図７は、本発明の実施に係るプレゼンテーション装置の要部の応用構成例を示す図である。
図８は、本発明の実施に係るプレゼンテーション装置の要部の外観を示す斜視図である。
【００１０】
プレゼンテーション装置の構成について述べる。
図１に示すプレゼンテーション装置１は、ランプ１１、１１ａ、原稿載置台１２ａ、視野角制限フィルム１３、ガイド表示板１３ａ、バックライト１４、カメラ１５、動き検出部１６、メモリ１６ａ、処理部１７、メモリ１７ａ、制御部１８、外光受光部１８ａ、及び操作部１９より構成される。
図５に示す制御部１８は動き時間計測器１８１、動き時間判定器１８２、動作判定器１８３、バックライト制御器１８４、及びランプ制御器１８５より構成される。
【００１１】
プレゼンテーション装置の動作について述べる。
図１を参照し説明する。
まず、操作部１９を操作してバックライト１４を点灯する。ガイド表示板１３ａに描かれるプレゼンテーション用資料を載置するためのガイド表示が照射される。視野角制限フィルム１３は入射される特定の方向の光のみを通過させるフィルムである。ガイド表示はプレゼンテーション装置を操作する使用者の斜め方向へは光透過性の原稿載置台を通過させて出射させ、カメラの配置される上方向には出射させないようにしている。
使用者はガイド表示を基にプレゼンテーション用資料を原稿載置台１２ａ上に載置する。カメラ１５により撮像されるプレゼンテーション用資料は、中央の位置で且つスクリーン枠と平行な位置に載置された画像としてカメラ１５により撮影され、図示しないプロジェクタを用い図示しないスクリーンに投影される。
【００１２】
動き検出部１６は、カメラ１５で撮影されるプレゼンテーション用資料の位置を検出する。検出して得られたプレゼンテーション用資料の輪郭情報を含む画像位置情報はメモリ１６ａに記憶される。動き検出部１６はメモリ１６ａに記憶された画像位置情報と入力される画像の位置情報とを比較し、所定の時間静止しているとして検出された場合には静止状態信号を制御部１８に入力する。制御部１８は外光受光部１８ａにより検出されるプレゼンテーション会場内の照度が所定の照度以下であるとして検出された場合にはバックライト１４をオフする。次に処理部１７に入力される画像をメモリ１７ａに記憶させる。メモリ１７ａに記憶された画像が読み出されて出力される。制御部１８はランプ１１、１１ａを減光させる。動き検出部１６において、カメラ１５により撮像される画像を基にした動き検出が可能とされるまでランプ１１、１１ａの光量を減光する。
【００１３】
動き検出部１６は、プレゼンテーション用資料の移動を検出した場合には動き検出信号を制御部１８に出力する。制御部１８はバックライト１４を点灯し、ランプ１１、１１ａの減光を解除する。次のプレゼンテーション用資料が原稿載置台１２ａに載置され、動き検出部１６が所定時間以上の静止を検出した場合には上記の減光動作を行う。
ガイド表示板１３ａに描かれるガイド表示は使用者にのみ識別され、カメラ１５により撮影されないようにされているため、例えば小さなプレゼンテーション用資料や透明なプレゼンテーション用資料を撮影する場合であってもガイド表示はカメラ１５により撮影されることはない。
【００１４】
さらに、視野角制限フィルム１３による視野角制限の特性が十分得られなく、ガイド表示がわずかに撮像されてしまう場合には、バックライトの光量を減光させずにランプ１１、１１ａの光量を減光させるとガイド表示がプレゼンテーション用資料と共に撮像され易くなる。プレゼンテーション装置１はバックライト１４を減光した後にランプ１１、１１ａを減光するようにしているため、ガイド表示は撮像されにくくなっている。
【００１５】
図２を用いてプレゼンテーション装置１について更に説明する。
原稿載置部１２から使用者の方にガイド表示が出射される。カメラ１５の方への出射光は視野角制限フィルム１３により妨げられる。視野角制限フィルム１３からガイド表示の漏れ光が出射されるものの、漏れ光はランプ１１、１１ａからプレゼンテーション用資料に照射される照明光より小さな光量である。ガイド表示の漏れ光はカメラ１５により撮影されない。ランプ１１、１１ａの背面には外光受光部１８ａが設置されておりプレゼンテーションルーム内の照明が検出される。室内照度が所定値以下にされた場合には、バックライト１４が消灯された後にランプ１１、１１ａの照度が下げられる。室内の視聴者がランプ１１、１１ａからの漏れ光によるスクリーン照射画像の鑑賞の妨げになるのを防げる。
【００１６】
図３を用いて原稿載置部１２について更に述べる。
原稿載置部１２は上部より光透過性の原稿載置台１２ａ、視野角制限フィルム１３、ガイド表示板１３ａ、及びバックライト１４の順で配置されている。ガイド表示板１３ａには例えばＡ４の大きさの資料を縦方向、及び横方向に載置する場合に用いるガイド線が記されている。ガイド表示はバックライト１４により照射され、照射光は視野角制限フィルム１３の光通過特性により使用者の目視可能な方向に出射され、且つカメラ１５により撮影されないよう垂直方向には出射されないようにされている。原稿載置台１２ａは原稿載置部１２に資料が載置され、資料の重さで原稿載置部１２が変形しないように設けられている。
【００１７】
図４に視野角制限フィルム１３の断面を示す。視野角制限フィルム１３は光線平行化フィルム、偏向フィルムと呼ばれるフィルムであり、特定の方向から入射される光は透過させ、特定と異なる方向から入射される光は透過させない特性を有する部材である。不透明な黒色ないしは灰色のルーパー１３２が透明なカバーフィルム１３１及び１３３に挟まれ、平行に配置されている。ルーパー１３２の間を通過する光は透過され、通過できない光は遮断される。
【００１８】
ガイド表示板１３ａから出射される光のうちカメラ１５の方向へ出射される光は視野角制限フィルム１３により遮断される。そして、カメラと同じ方向に配置されるランプ１１、１１ａの照射光は視野角制限フィルム１３により遮断されてガイド表示板１３ａに到達しない。ガイド表示板１３ａを照射しない。従って、ガイド表示板１３ａを照射するために、使用者側である前方斜め方向などにランプを配置するなどにより、照射する必要がある。しかし、前方斜め方向に配置されるランプはプレゼンテーション装置１操作上の障害となるため、ガイド表示板１３ａの照明はバックライト１４により下方から行うようにしている。
【００１９】
図５を参照し、ランプ１１、１１ａ及びバックライト１４の点灯を制御する制御部１８について述べる。
まず、動作判定器１８３には外光受光部１８ａで受光された室内の照度情報が入力される。室内照度が低いと判定された場合にはランプ１１、１１ａ及びバックライト１４の減光制御を行う。動き時間計測器１８１には動き検出部１６で検出された「静止情報」又は「動き情報」が入力される。プレゼンテーション用資料が移動させられたと判定するための動き時間の閾値、及び静止状態を判定する静止時間の閾値は予め操作部１９が操作されて入力されている。動き時間判定器１８２は「静止情報」の継続時間が予め設定されている閾値時間を超えた場合であり、且つ動作判定器１８３により室内照度が閾値より低いと判定された場合にバックライト制御器１８４はバックライト１４を消灯し、次にランプ制御器１８５はランプ１１、１１を減光する。減光時のランプ１１、１１ａの照度を動き検出部１６で資料の動き情報が検出可能な明るさに減光する。
【００２０】
次に、動き検出部１６でプレゼンテーション資料に動きがあるとして検出された場合は「動き情報」の継続時間を、予め設定されている閾値時間と比較する。「動き情報」の継続時間が閾値時間を超えた場合にプレゼンテーション用資料が移動されたと判定する。
動き時間判定器１８２の判定は、動き量と動き時間の両者に対して行う。動き量が所定以上の場合に「動き情報」を出力し、その動き情報が閾値時間を越えたときにプレゼンテーション用資料が移動されたと判定する。動き量閾値を小さな値に設定するとプレゼンテーション用資料に手を触れた場合などで原稿が微少に動いたときに「動き情報」が出力されてしまう。また、プレゼンテーション中に手がカメラ１４ａの視野を横切ることもある。その場合も「動き情報」が出力される。手がカメラ１４ａの視野を横切った後には元の画像が得られる。出力される「動き情報」の時間は短い。「動き情報」の連続して存在する時間を閾値と比較することにより、プレゼンテーション用資料の移動を正しく判定することができる。好ましくないランプ１１、１１ａのオンオフの繰り返しを防ぐことができる。動き量に対する閾値は例えば画像全体のうち７０％の領域が一致するとして検出される場合は「動き情報」を出力しない。閾値時間は例えば３秒程度に設定するのがよい。
ランプ１１、１１ａ及びバックライト１４の照度調整を操作部１９に設置される操作ノブを用いて行う方法もある。
【００２１】
図６を参照してプレゼンテーション装置１の動作について述べる。
まず、Ｓ（ステップ）７１でランプ１１、１１ａを点灯し、Ｓ７２でバックライト１４を点灯する。Ｓ７３ではカメラ１５で撮像された画像を出力する。Ｓ７４ではプレゼンテーション用資料の動きを検出し、Ｓ７５では検出される静止時間が予め設定される閾値を超えたか否かを検出する。静止時間が予め設定された閾値を超えない場合はＳ７４からの動作を繰り返す。超えた場合はＳ７６でスライド（提示するプレゼンテーション用資料）は最後であるか否かを判断し、最後でない場合にはＳ７７で外光の照度レベルが閾値以下であるか否かを検出する。閾値を越えている場合はＳ８２からの動作に進み、閾値以下として検出された場合にはＳ７８でバックライトを消灯し、Ｓ７９でカメラ１５から出力される画像信号をメモリ１７ａに記憶し、記憶された画像信号を出力する。次にＳ８１でランプ１１、１１ａを減光し、Ｓ８２の動作に進む。
【００２２】
Ｓ８２ではプレゼンテーション用資料の動きを検出し、Ｓ８３で動き時間は閾値を越えたか否かを検出する。Ｓ８３では動き時間は閾値を越えたか否かを検出する。閾値を越えない場合はＳ８２からの動作を繰り返し、越えたとして検出された場合にはＳ８４で減光したランプの照度を基の照度に戻す。Ｓ８５で消灯したバックライトの照度を所定の照度に戻す。Ｓ８６ではカメラ１５で撮影した画像信号を処理部１７を介して出力し、Ｓ７４からの動作を繰り返す。Ｓ７６でスライドは最後であるとして判断された場合にはＳ８７で画像出力をオフとし、Ｓ８８でバックライトを消灯し、Ｓ８９でランプを減光又は消灯する。
【００２３】
図７を参照してプレゼンテーション装置の応用構成について述べる。
同図に示すプレゼンテーション装置の原稿載置部１２０は、図３に示した原稿載置部１２に比し、視野角制限フィルム１３とガイド表示板１３ａとの間に透明部材１３ｂ及びフィルム原稿１３ｃが配置されている点で異なっている。原稿載置部１２０にはフィルム原稿１３ｃを挿入するための原稿挿入口１２ｂが設けられている。
【００２４】
バックライト１４に照射されるガイド表示板１３ａのガイド表示は、視野角制限フィルム１３により原稿載置部１２０の斜め前方には照射されるものの、カメラ１５の方向には照射されない。同様にして、バックライト１４と視野角制限フィルム１３との間に挿入されるフィルム原稿１３ｃの記述内容は原稿載置部１２０の斜め前方からは見ることは出来るがカメラ１５では撮影されない。使用者はフィルム原稿１３ｃを見ながらプレゼンテーションを行うことが出来る。
【００２５】
図８に応用例における原稿載置部１２０の外観図を示す。
フィルム原稿１３ｃはプレゼンテーション用資料に隣接する位置で読むことが可能であり、フィルム原稿の記述内容はカメラ１５により撮影されないためスクリーンには投射されない。フィルム原稿１３ｃは、プレゼンテーション中であってもフィルム原稿１３ｃを原稿挿入口１２ｂから挿入及び交換が可能である。プレゼンター（使用者）はフィルム原稿１３ｃの記述内容１３ｅを参照しながらプレゼンテーションを行うことが出来る。
【００２６】
以上のように、実施例で述べたプレゼンテーション装置１によれば、照明光を出射するバックライト１４と、前記照明光により照射される基準領域が形成された光透過性のガイド表示板１３ａと、前記光透過性のガイド表示板に対して、所定角度を有したルーパーが所定間隔を有して複数形成された視野角制限フィルム１３とを有しているのでカメラにより撮像され、投影される被写体をスクリーン上の所定の位置に配置させるためのガイド表示を使用者に行うと共に、ガイド表示はカメラにより撮影されなく、提示用資料のみがスクリーンに投影されるようにした簡易な構成のプレゼンテーション装置を実現出来ている。
【００２７】
さらに、原稿載置部１２０にフィルム原稿１３ｃを表示させる領域を設け、カメラ１５に撮影させることなく使用者はスクリーンに投射されないフィルム原稿を見ながらプレゼンテーションをスムーズに進光させることが出来る。
【産業上の利用可能性】
【００２８】
書類や立体物などの資料を撮像し、プロジェクタ投影用画像信号として出力するプレゼンテーション装置に適用できる。
【図面の簡単な説明】
【００２９】
【図１】本発明の実施に係るプレゼンテーション装置の構成例を示すブロック図である。
【図２】本発明の実施に係るプレゼンテーション装置の外観を示す斜視図である。
【図３】本発明の実施に係るプレゼンテーション装置の要部の構成例を示す図である。
【図４】本発明の実施に係る視野角制限フィルタの断面を示す図である。
【図５】本発明の実施に係るプレゼンテーション装置の要部の構成例を示すブロック図である。
【図６】本発明の実施に係るプレゼンテーション装置の動作をフローチャートで示した図である。
【図７】本発明の実施に係るプレゼンテーション装置の要部の応用構成例を示す図である。
【図８】本発明の実施に係るプレゼンテーション装置の要部の外観を示す斜視図である。
【符号の説明】
【００３０】
１    プレゼンテーション装置
１１、１１ａ    ランプ
１２、１２０    原稿載置部
１２ａ    原稿載置台
１２ｂ    原稿挿入口
１３    視野角制限フィルム
１３ａ    ガイド表示板
１３ｂ    透明部材
１３ｃ    フィルム原稿
１４    バックライト
１５    カメラ
１６    動き検出部
１６ａ    メモリ
１７    処理部
１７ａ    メモリ
１８    制御部
１８ａ    外光受光部
１９    操作部
１３１、１３３    カバーフィルム
１３２    ルーパー
１８１    動き時間計測器
１８２    動き時間判定器
１８３    動作判定器
１８４    バックライト制御器
１８５    ランプ制御器
【図１】
0004462145.tif 000002
【図２】
0004462145.tif 000003
【図３】
0004462145.tif 000004
【図４】
0004462145.tif 000005
【図５】
0004462145.tif 000006
【図６】
0004462145.tif 000007
【図７】
0004462145.tif 000008
【図８】
0004462145.tif 000009